(57)【特許請求の範囲】
【請求項１】
地震および津波警報システムETWSメッセージのブロードキャストが完了した後にページングメッセージを生成するステップと、
前記ページングメッセージをブロードキャストするステップであって、前記ページングメッセージが、前記ETWSメッセージを監視する状態にあるユーザ機器UEに、システム情報ブロックを受信するように命令するために使用され、前記システム情報ブロックが、ETWS1次通知PNおよびETWS2次通知SNのスケジューリングマッピング情報を搬送しない、ブロードキャストするステップと
を含む、情報送信方法。
【請求項２】
前記ページングメッセージが、システムメッセージを更新することの指示メッセージを搬送する、請求項1に記載の方法。
【請求項３】
前記システム情報ブロックのシステム情報値タグSystem Info Value tagフィールドは、基地局が前記ページングメッセージをブロードキャストする前と、前記基地局が前記ページングメッセージをブロードキャストした後とで不変のままである、請求項1または2に記載の方法。
【請求項４】
ユーザ機器が地震および津波警報システムETWSメッセージを監視する状態にあるとき、基地局によってブロードキャストされたページングメッセージを受信するステップと、
前記ページングメッセージに従ってシステム情報ブロックを受信するステップであって、前記システム情報ブロックが、ETWS1次通知PNおよびETWS2次通知SNのスケジューリングマッピング情報を搬送しない、受信するステップと、
前記システム情報ブロックに従って、前記ETWSメッセージを監視することを停止するステップと
を含む、情報送信方法。
【請求項５】
前記ページングメッセージが、システムメッセージを更新することの指示メッセージを搬送する、請求項4に記載の方法。
【請求項６】
前記システム情報ブロックのシステム情報値タグSystem Info Value tagフィールドは、前記基地局が前記ページングメッセージをブロードキャストする前と、前記基地局が前記ページングメッセージをブロードキャストした後とで不変のままである、請求項4または5に記載の方法。
【請求項７】
地震および津波警報システムETWSメッセージのブロードキャストが完了した後にページングメッセージを生成するように構成された、プロセッサと、
前記ページングメッセージをブロードキャストすることであって、前記ページングメッセージが、前記ETWSメッセージを監視する状態にあるユーザ機器UEに、システム情報ブロックを受信するように命令するために使用され、前記システム情報ブロックが、ETWS1次通知PNおよびETWS2次通知SNのスケジューリングマッピング情報を搬送しない、ブロードキャストすることを行うように構成された、送信ユニットと
を含む、基地局。
【請求項８】
前記ページングメッセージが、システムメッセージを更新することの指示メッセージを搬送する、請求項7に記載の基地局。
【請求項９】
前記システム情報ブロックのシステム情報値タグSystem Info Value tagフィールドは、前記基地局が前記ページングメッセージをブロードキャストする前と、前記基地局が前記ページングメッセージをブロードキャストした後とで不変のままである、請求項7または8に記載の基地局。
【請求項１０】
ユーザ機器であって、
前記ユーザ機器が地震および津波警報システムETWSメッセージを監視する状態にあるとき、基地局によってブロードキャストされたページングメッセージを受信するように構成され、前記ページングメッセージに従ってシステム情報ブロックを受信することであって、前記システム情報ブロックが、ETWS1次通知PNおよびETWS2次通知SNのスケジューリングマッピング情報を搬送しない、受信することを行うように構成された、受信ユニットと、
前記受信ユニットによって受信された前記システム情報ブロックに従って、前記ETWSメッセージを監視することを停止するように構成された、プロセッサと
を含む、ユーザ機器。
【請求項１１】
前記ページングメッセージが、システムメッセージを更新することの指示メッセージを搬送する、請求項10に記載のユーザ機器。
【請求項１２】
前記システム情報ブロックのシステム情報値タグSystem Info Value tagフィールドは、前記基地局が前記ページングメッセージをブロードキャストする前と、前記基地局が前記ページングメッセージをブロードキャストした後とで不変のままである、請求項10または11に記載のユーザ機器。
【発明の詳細な説明】
【技術分野】
【０００１】
本出願は、その全体が参照により本明細書に組み込まれる、2012年6月27日に中国特許庁に出願された「INFORMATION TRANSMISSION METHOD, BASE STATION, AND USER EQUIPMENT」と題する中国特許出願第201210214399.4号の優先権を主張する。
【０００２】
本発明の実施形態は、通信技術の分野に関し、詳細には、情報送信方法、基地局、およびユーザ機器に関する。
【背景技術】
【０００３】
E-UTRAN(Evolved Universal Terrestrial Radio Access Network、発展型ユニバーサル地上波無線アクセスネットワーク)が、MME(Mobility Management Entity、モビリティ管理エンティティ)によって送られたETWS(Earthquake and Tsunami Warning System、地震および津波警報システム)書込み置換警報要求(Write-Replace Warning Request)を受信した後、基地局が、ETWSメッセージを搬送するSIB1(System Information Block1、システム情報ブロック1)をUE(User Equipment、ユーザ機器)にブロードキャストする。
【０００４】
ETWSメッセージのブロードキャストが完了した後、基地局は、SIB1メッセージからETWSメッセージのスケジューリングマッピング情報を削除する。しかしながら、UEは、ETWSメッセージを搬送しないSIB1をアクティブに受信しない。したがって、UEがETWSメッセージを完全には受信しなかった場合、UEは常にETWSメッセージを監視し、すなわち、UEは常に電力消費状態にある。
【発明の概要】
【発明が解決しようとする課題】
【０００５】
本発明の実施形態は、UEの電力消費を効果的に低減することが可能である情報送信方法、基地局、およびユーザ機器を提供する。
【課題を解決するための手段】
【０００６】
第1の態様は、地震および津波警報システムETWSメッセージのブロードキャストが完了した後にページングメッセージを生成するステップと、ページングメッセージをブロードキャストするステップであって、ページングメッセージが、ETWSメッセージを監視する状態にあるユーザ機器UEに、システム情報ブロックを受信するように命令するために使用され、システム情報ブロックが、ETWS1次通知PNおよびETWS2次通知SNのスケジューリングマッピング情報を搬送しない、ブロードキャストするステップとを含む、情報送信方法を提供する。
【０００７】
第1の可能な実装様式では、特定の実装形態は、
ページングメッセージが、システムメッセージを更新することの指示メッセージを搬送することであり得る。
【０００８】
第2の可能な実装様式では、第1の態様または第1の態様の第1の可能な実装様式と組み合わせて、特定の実装形態は、
システム情報ブロックのシステム情報値タグSystem Info Value tagフィールドが、基地局がページングメッセージをブロードキャストする前と、基地局がページングメッセージをブロードキャストした後とで不変のままであることであり得る。
【０００９】
第2の態様は、ユーザ機器が地震および津波警報システムETWSメッセージを監視する状態にあるとき、基地局によってブロードキャストされたページングメッセージを受信するステップと、ページングメッセージに従ってシステム情報ブロックを受信するステップであって、システム情報ブロックが、ETWS1次通知PNおよびETWS2次通知SNのスケジューリングマッピング情報を搬送しない、受信するステップと、システム情報ブロックに従って、ETWSメッセージを監視することを停止するステップとを含む、情報送信方法を提供する。
【００１０】
第1の可能な実装様式では、特定の実装形態は、
ページングメッセージが、システムメッセージを更新することの指示メッセージを搬送することであり得る。
【００１１】
第2の可能な実装様式では、第2の態様または第2の態様の第1の可能な実装様式と組み合わせて、特定の実装形態は、
システム情報ブロックのシステム情報値タグSystem Info Value tagフィールドが、基地局がページングメッセージをブロードキャストする前と、基地局がページングメッセージをブロードキャストした後とで不変のままであることであり得る。
【００１２】
第3の態様は、地震および津波警報システムETWSメッセージのブロードキャストが完了した後にページングメッセージを生成するように構成された、プロセッサと、ページングメッセージをブロードキャストすることであって、ページングメッセージが、ETWSメッセージを監視する状態にあるユーザ機器UEに、システム情報ブロックを受信するように命令するために使用され、システム情報ブロックが、ETWS1次通知PNおよびETWS2次通知SNのスケジューリングマッピング情報を搬送しない、ブロードキャストすることを行うように構成された、送信ユニットとを含む、基地局を提供する。
【００１３】
第1の可能な実装様式では、特定の実装形態は、
ページングメッセージが、システムメッセージを更新することの指示メッセージを搬送することであり得る。
【００１４】
第2の可能な実装様式では、第3の態様または第3の態様の第1の可能な実装様式と組み合わせて、特定の実装形態は、
システム情報ブロックのシステム情報値タグSystem Info Value tagフィールドが、基地局がページングメッセージをブロードキャストする前と、基地局がページングメッセージをブロードキャストした後とで不変のままであることであり得る。
【００１５】
第4の態様は、ユーザ機器が地震および津波警報システムETWSメッセージを監視する状態にあるとき、基地局によってブロードキャストされたページングメッセージを受信するように構成され、ページングメッセージに従ってシステム情報ブロックを受信することであって、システム情報ブロックが、ETWS1次通知PNおよびETWS2次通知SNのスケジューリングマッピング情報を搬送しない、受信することを行うように構成された、受信ユニットと、システム情報ブロックに従って、ETWSメッセージを監視することを停止するように構成された、プロセッサとを含む、ユーザ機器を提供する。
【００１６】
第1の可能な実装様式では、特定の実装形態は、
ページングメッセージが、システムメッセージを更新することの指示メッセージを搬送することであり得る。
【００１７】
第2の可能な実装様式では、第4の態様または第4の態様の第1の可能な実装様式と組み合わせて、特定の実装形態は、
システム情報ブロックのシステム情報値タグSystem Info Value tagフィールドが、基地局がページングメッセージをブロードキャストする前と、基地局がページングメッセージをブロードキャストした後とで不変のままであることであり得る。
【００１８】
本発明の実施形態では、UEは、基地局によってブロードキャストされたページングメッセージを受信し、ETWS1次通知PNおよびETWS2次通知SNのスケジューリングマッピング情報を搬送しないシステム情報ブロックをアクティブに受信し、したがって、UEは、ETWSメッセージを監視することを停止し、それによって、UEの電力消費を効果的に低減することが可能である。
【００１９】
本発明の実施形態における技術的解決策をより明確に示すために、以下で、実施形態または従来技術について説明するために必要な添付の図面を簡単に紹介する。明らかに、以下の説明における添付の図面は、本発明のいくつかの実施形態を示すにすぎず、当業者は、創造的な作業なしにこれらの添付の図面から他の図面をさらに導出し得る。
【図面の簡単な説明】
【００２０】
【図１】本発明の一実施形態による、情報送信方法のフローチャートである。
【図２】本発明の別の実施形態による、情報送信方法のフローチャートである。
【図３】本発明の一実施形態による、情報送信方法のプロセスの概略フローチャートである。
【図４】本発明の一実施形態による、デバイスのブロック図である。
【図５】本発明の一実施形態による、基地局のブロック図である。
【図６】本発明の別の実施形態による、ユーザ機器のブロック図である。
【発明を実施するための形態】
【００２１】
以下で、本発明の実施形態において添付の図面を参照しながら、本発明の実施形態における技術的解決策について明確におよび完全に説明する。明らかに、説明する実施形態は、本発明の実施形態の全部ではなく、その一部にすぎない。創造的な作業なしに本発明の実施形態に基づいて当業者によって取得されるすべての他の実施形態は、本発明の保護範囲内に入る。
【００２２】
本発明における技術的解決策は、モバイル通信用グローバルシステム(GSM(登録商標)、Global System for Mobile communications)、符号分割多元接続(CDMA、Code Division Multiple Access Wireless)システム、広帯域符号分割多元接続(WCDMA(登録商標)、Wideband Code Division Multiple Access)システム、汎用パケット無線サービス(GPRS、General Packet Radio Service)およびロングタームエボリューション(LTE、Long Term Evolution)システムなど、様々な通信システムに適用され得る。
【００２３】
ユーザ機器(UE、User Equipment)は、モバイル端末(Mobile Terminal)、モバイルユーザ機器などと呼ばれることもある。ユーザ機器は、無線アクセスネットワーク(RAN、Radio Access Network)を通して1つまたは複数のコアネットワークと通信することが可能である。ユーザ機器は、モバイルフォン(または「セルラー」フォンと呼ばれる)またはモバイル端末をもつコンピュータなど、モバイル端末であり得る。たとえば、ユーザ機器は、無線アクセスネットワークと音声および/またはデータを交換する、ポータブル、ポケットサイズ、ハンドヘルド、コンピュータ組込型、または車載型モバイル装置であり得る。
【００２４】
基地局は、GSM(登録商標)またはCDMAトランシーバ基地局(BTS、Base Transceiver Station)、WCDMA(登録商標)ノードB(NodeB)、またはLTE発展型ノードB(eNBまたはe-NodeB、evolved Node B)であり得る。基地局のタイプは本発明では限定されない。しかしながら、説明しやすいように、以下の実施形態では説明のために一例としてeNBが使用される。
【００２５】
図1は、本発明の一実施形態による、情報送信方法のフローチャートである。図1の方法は基地局によって実行される。
【００２６】
101. 地震および津波警報システムETWSメッセージのブロードキャストが完了した後にページングメッセージを生成する。
【００２７】
102. ETWSメッセージを監視する状態にあるUEにページングメッセージを送り、ページングメッセージは、システム情報ブロックを受信するようにUEに命令するために使用され、システム情報ブロックは、ETWS1次通知PNおよびETWS2次通知SNのスケジューリングマッピング情報を搬送しない。
【００２８】
本発明のこの実施形態では、UEは、基地局によってブロードキャストされたページングメッセージを受信し、ETWS1次通知PNおよびETWS2次通知SNのスケジューリングマッピング情報を搬送しないシステム情報ブロックをアクティブに受信し、したがって、UEは、ETWSメッセージを監視することを停止し、それによって、UEの電力消費を効果的に低減することが可能である。
【００２９】
代替的に、一実施形態として、ページングメッセージは、システムメッセージを更新することの指示メッセージを搬送するページングメッセージであり得る。これは、本発明のこの実施形態では限定されないことを理解されたい。UEがサービングセルを出ないとき、ETWS PNおよびETWS SNのスケジューリングマッピング情報を搬送しないシステム情報ブロックをアクティブに受信するようにUEをトリガすることが可能であるページングメッセージは、本発明のこの実施形態の範囲内に入る。
【００３０】
代替的に、別の実施形態として、システム情報ブロックのシステム情報値タグSystem Info Value tagフィールドは、基地局がページングメッセージを送る前と、基地局がページングメッセージを送った後とで不変のままであり得る。さらに、システム情報ブロックは、ETWS PNおよびETWS SNのスケジューリングマッピング情報を搬送しないSIB1であり得る。
【００３１】
詳細には、ETWSメッセージのブロードキャストを完了した後に、基地局は、システムメッセージの更新指示メッセージを搬送するページングメッセージをブロードキャストする。ページングメッセージを受信した後に、UEはSIB1をアクティブに受信し、SIB1は、ETWS PNおよびETWS SNのスケジューリングマッピング情報を搬送せず、SIB1のSystem Info Value tagフィールドは不変のままである。したがって、UEは、システムメッセージを更新することの指示メッセージを搬送するページングメッセージを受信した後に、システムメッセージを更新しない。その結果、UEは、ETWSメッセージを監視することを停止し、電力消費状態になくなり、それによって電力消費を低減する。
【００３２】
図2の例と組み合わせて、以下で、情報送信方法の非限定的な実装様式について詳細に説明する。
【００３３】
図2は、本発明の一実施形態による、情報送信方法のフローチャートである。図2の方法は、ユーザ機器によって実行され、図1の方法に対応する。したがって、図1の実施形態において繰り返される説明は適切に省略される。
【００３４】
201. ユーザ機器がETWSメッセージを監視する状態にあるとき、基地局によってブロードキャストされたページングメッセージを受信する。
【００３５】
202. ページングメッセージに従ってシステム情報ブロックを受信し、システム情報ブロックは、ETWS1次通知PNおよびETWS2次通知SNのスケジューリングマッピング情報を搬送しない。
【００３６】
203. システム情報ブロックに従って、ETWSメッセージを監視することを停止する。
【００３７】
本発明のこの実施形態では、UEは、基地局によってブロードキャストされたページングメッセージを受信し、ETWS1次通知PNおよびETWS2次通知SNのスケジューリングマッピング情報を搬送しないシステム情報ブロックをアクティブに受信し、したがって、UEは、ETWSメッセージを監視することを停止し、それによって、UEの電力消費を効果的に低減することが可能である。
【００３８】
代替的に、一実施形態として、ページングメッセージは、システムメッセージを更新することの指示メッセージを搬送するページングメッセージであり得る。これは、本発明のこの実施形態では限定されないことを理解されたい。UEがサービングセルを出ないとき、ETWS PNおよびETWS SNのスケジューリングマッピング情報を搬送しないシステム情報ブロックをアクティブに受信するようにUEをトリガすることが可能であるページングメッセージは、本発明のこの実施形態の範囲内に入る。
【００３９】
代替的に、別の実施形態として、システム情報ブロックのシステム情報値タグSystem Info Value tagフィールドは、基地局がページングメッセージを送る前と、基地局がページングメッセージを送った後とで不変のままであり得る。さらに、システム情報ブロックは、ETWS PNおよびETWS SNのスケジューリングマッピング情報を搬送しないSIB1であり得る。
【００４０】
詳細には、基地局はETWSメッセージのブロードキャストを完了したが、UEは、依然として、ETWSメッセージを監視する状態にある。たとえば、UEのダウンリンク受信信号が突然弱くなり、その結果、ETWSメッセージは完全には受信され得ない。この場合、UEは、常にETWSメッセージを監視する状態にあり、ETWS PNおよびETWS SNのスケジューリングマッピング情報を搬送しないSIB1をアクティブに受信しない。基地局によってアクティブに配信されるページングメッセージ(たとえば、システムメッセージを更新することの指示メッセージを搬送するページングメッセージ)を受信した後に、UEはシステム情報ブロックをアクティブに受信し、システム情報ブロックは、ETWS PNおよびETWS SNのスケジューリングマッピング情報を搬送しない。さらに、システム情報ブロックは、ETWS PNおよびETWS SNのスケジューリングマッピング情報を搬送しないSIB1であり得る。したがって、UEは、システムメッセージを更新することの指示メッセージを搬送するページングメッセージを受信した後に、システムメッセージを更新しない。その結果、UEは、ETWSメッセージを監視することを停止し、電力消費状態ではなくなり、それによって電力消費を低減する。
【００４１】
特定の例と組み合わせて、以下で、本発明の一実施形態について説明する。
【００４２】
図3は、本発明の一実施形態による、情報送信方法のプロセスの概略フローチャートである。
【００４３】
図3では、説明のために基地局の一例としてeNBが使用される。これは、本発明のこの実施形態では限定されないことを理解されたい。図3におけるETWS SNフラグメントの数が2であることは例にすぎず、これは、本発明のこの実施形態を限定するものではなく、ETWS SNは断片化されないことがあるか、またはより多くのETWS SNフラグメントが存在し得ることに留意されたい。また、ETWS PNまたはETWS SNのためのブロードキャスト回数およびブロードキャスト間隔は、本発明のこの実施形態では限定されないことを理解されたい。
【００４４】
301. MMEがeNBに書込み置換警告要求Write-Replace Warning Requestを送る。
【００４５】
302. 基地局はMMEに書込み置換警告応答Write-Replace Warning Responseを戻す。
【００４６】
303. eNBはUEにETWSメッセージをブロードキャストする。
【００４７】
ブロードキャストコンテンツはETWS PNとETWS SNとを含む。ETWS PNは、切迫したイベント(たとえば、切迫した地震または津波)についての最も緊急の情報をユーザ機器に迅速に通知するために使用される。ETWS SNは、追加情報(たとえば、緊急事態が起こったとき、何をすべきかまたはどこに助けを求めるべきか)を送信するために主に使用される。概して、ETWS PNは、断片化される必要がなく、一定の間隔で連続的にブロードキャストされる。しかしながら、多数のETWS SNがあるとき、断片化ブロードキャストが必要とされる。たとえば、ETWS SNは、2つのフラグメント、すなわち、SNフラグメント1とSNフラグメント2とに分割される。ETWS SNは、MME上で構成されるブロードキャスト回数およびブロードキャスト間隔に従ってブロードキャストされる。たとえば、ETWS SNについて、ブロードキャスト回数は2として構成され、ブロードキャスト間隔は10秒として構成される。
【００４８】
UEは、eNBによって送られた、ETWSメッセージ指示を搬送するページングメッセージpaging (with etws-ind)を受信し、したがって、SIB1(マッピング情報SIB10 SIB11)を受信し、SIB1によって与えられる関係情報に従って固定時間周波数ロケーション上で、ETWS PNを搬送するSIB10(PN)と、ETWS SNを搬送するSIB11(SN)とを監視する。
【００４９】
eNBはETWSメッセージのブロードキャストを完了したが、UEは、依然として、ETWSメッセージを監視する状態にある。たとえば、UEのダウンリンク受信信号が突然弱くなり、その結果、ETWSメッセージは完全には受信され得ない。さらに、UEは、ETWS PNおよびETWS SNのスケジューリングマッピング情報を搬送しないSIB1をアクティブに受信しない。別の例では、eNBは、UEが電源投入されたとき、最後にETWS SNをブロードキャストする。その結果、UEは、ETWS SNを完全には受信せず、ETWS PNおよびETWS SNのスケジューリングマッピング情報を搬送しないSIB1をアクティブに受信しない。したがって、UEは常にSIB11を監視する状態にあり、すなわち、UEは常に電力消費状態にある。
【００５０】
304. eNBは、システムメッセージを更新することの指示メッセージを搬送するページングメッセージをUEに送る。
【００５１】
305. eNBは、ETWS PNおよびETWS SNのスケジューリングマッピング情報を搬送しないSIB1をUEに送る。
【００５２】
eNBによってアクティブに配信されるページングメッセージ(たとえば、システムメッセージを更新することの指示メッセージを搬送するページングメッセージ)を受信した後に、UEは、ETWS PNおよびETWS SNのスケジューリングマッピング情報を搬送しないシステム情報ブロックをアクティブに受信する。代替的に、システム情報ブロックのシステム情報値タグSystem Info Value tagフィールドは、eNBがページングメッセージを送る前と、eNBがページングメッセージを送った後とで不変のままであり得る。さらに、システム情報ブロックは、ETWS PNおよびETWS SNのスケジューリングマッピング情報を搬送しないSIB1であり得る。すなわち、システム情報ブロックは、ブロードキャストが完了したときにeNBによってUEに送られるSIB1であり、そこにおいて、SIB10およびSIB11のスケジューリングマッピング情報は削除され、SIB1のSystem Info Value tagフィールドは不変のままである。したがって、UEは、システムメッセージを更新することの指示メッセージを搬送するページングメッセージを受信した後に、システムメッセージを更新しない。その結果、UEは、ETWSメッセージを監視することを停止し、それによって電力消費を低減する。
【００５３】
本発明の一実施形態は、先行する方法実施形態における各ステップおよび方法を実装するための装置実施形態をさらに提供する。本発明のこの実施形態は、様々な通信システム上の基地局またはユーザ機器に適用され得る。図4に、デバイスの一実施形態を示す。この実施形態では、デバイス400は、送信回路402と、受信回路403と、電力コントローラ404と、復号プロセッサ405と、プロセッサ406と、メモリ407と、アンテナ401とを含む。プロセッサ406はデバイス400の動作を制御する。プロセッサ406は、さらに、中央処理ユニットCPUまたはプロセッサと呼ばれることがある。メモリ407は、読取り専用メモリとランダムアクセスメモリとを含み、命令とデータとをプロセッサ406に与え得る。メモリ407の一部は不揮発性ランダムアクセスメモリ(NVRAM)をさらに含み得る。実際的適用例では、デバイス400は、無線通信機器、たとえば、携帯電話に組み込まれ得るか、またはそれ自体が無線通信機器であり得、デバイス400と遠隔ロケーションとの間のデータ送信および受信を可能にするために、送信回路402と受信回路403とを収容するキャリアをさらに含み得る。送信回路402および受信回路403はアンテナ401に結合され得る。デバイス400の各構成要素は、バスシステム410を通して互いに結合される。データバスに加えて、バスシステム410は、電力バスと、制御バスと、ステータス信号バスとをさらに含む。しかしながら、説明の明快のために、図中のすべてのバスがバスシステム410として示されている。デバイス400は、信号を処理するように構成されたプロセッサ406をさらに含み得、電力コントローラ404と復号プロセッサ405とをさらに含む。
【００５４】
本発明の先行する実施形態において開示された方法は、デバイス400に適用され得るか、またはデバイス400中のプロセッサ406および送信回路402によって主に実装される。プロセッサ406は、信号を処理する能力を有する集積回路チップであり得る。実装プロセスでは、先行する方法の各ステップは、プロセッサ406中のハードウェアの集積論理回路またはソフトウェアの形態の命令によって完了され得る。本発明の実施形態において開示された方法を実行するように構成された復号プロセッサ405は、汎用プロセッサ、デジタル信号プロセッサ(DSP)、特定用途向け集積回路(ASIC)、フィールドプログラマブルゲートアレイ(FPGA)、別のプログラマブル論理デバイス、個別論理デバイスまたはトランジスタ論理デバイス、あるいは個別ハードウェア構成要素であり得る。汎用プロセッサは、本発明の実施形態において開示された各方法、ステップ、および論理ブロック図を実装または実行し得る。さらに、汎用プロセッサはマイクロプロセッサであり得るか、またはプロセッサは任意の従来のプロセッサ、デコーダなどであり得る。本発明の実施形態において開示された方法のステップは、ハードウェア復号プロセッサによって直接実行され得るか、または復号プロセッサ中のハードウェアモジュールとソフトウェアモジュールとの組合せによって実行され得る。ソフトウェアモジュールは、ランダムアクセスメモリ、フラッシュメモリ、読取り専用メモリ、プログラマブル読取り専用メモリ、電気消去可能プログラマブル読取り専用メモリ、レジスタ、またはこの分野における別の成熟したメモリ媒体中にあり得る。メモリ媒体はメモリ407中にあり、復号ユニットが、メモリ407中の情報を読み取り、それのハードウェアと組み合わせて、先行する方法のステップを完了する。
【００５５】
さらに、図5は、本発明の一実施形態による、基地局のブロック図である。図5における基地局50はプロセッサ51と送信ユニット52とを含む。
【００５６】
プロセッサ51は、地震および津波警報システムETWSメッセージのブロードキャストが完了した後にページングメッセージを生成するように構成される。
【００５７】
送信ユニット52は、プロセッサ51によって生成されたページングメッセージをブロードキャストすることであって、ページングメッセージが、ETWSメッセージを監視する状態にあるユーザ機器UEに、システム情報ブロックを受信するように命令するために使用され、システム情報ブロックが、ETWS1次通知PNおよびETWS2次通知SNのスケジューリングマッピング情報を搬送しない、ブロードキャストすることを行うように構成される。
【００５８】
本発明のこの実施形態では、UEは、基地局によってブロードキャストされたページングメッセージを受信し、ETWS1次通知PNおよびETWS2次通知SNのスケジューリングマッピング情報を搬送しないシステム情報ブロックをアクティブに受信し、したがって、UEは、ETWSメッセージを監視することを停止し、それによって、UEの電力消費を効果的に低減することが可能である。
【００５９】
基地局50は、図1〜図3における基地局に関係する動作を実装し得る。したがって、繰り返しを避けるために、さらなる詳細は与えない。
【００６０】
代替的に、一実施形態として、ページングメッセージは、システムメッセージを更新することの指示メッセージを搬送するページングメッセージであり得る。
【００６１】
代替的に、別の実施形態として、システム情報ブロックのシステム情報値タグSystem Info Value tagフィールドは、基地局がページングメッセージを送る前と、基地局がページングメッセージを送った後とで不変のままであり得る。
【００６２】
図6は、本発明の別の実施形態による、ユーザ機器のブロック図である。図6におけるユーザ機器60は受信ユニット61とプロセッサ62とを含む。
【００６３】
受信ユニット61は、ユーザ機器60が地震および津波警報システムETWSメッセージを監視する状態にあるとき、基地局によってブロードキャストされたページングメッセージを受信するように構成され、受信されたページングメッセージに従ってシステム情報ブロックを受信することであって、システム情報ブロックが、ETWS1次通知PNおよびETWS2次通知SNのスケジューリングマッピング情報を搬送しない、受信することを行うように構成される。
【００６４】
プロセッサ62は、受信ユニット61によって受信されたシステム情報ブロックに従って、ETWSメッセージを監視することを停止するように構成される。
【００６５】
本発明のこの実施形態では、UEは、基地局によってブロードキャストされたページングメッセージを受信し、ETWS1次通知PNおよびETWS2次通知SNのスケジューリングマッピング情報を搬送しないシステム情報ブロックをアクティブに受信し、したがって、UEは、ETWSメッセージを監視することを停止し、それによって、UEの電力消費を効果的に低減することが可能である。
【００６６】
ユーザ機器60は、図1〜図3におけるユーザ機器に関係する動作を実装し得る。したがって、繰り返しを避けるために、さらなる詳細は与えない。
【００６７】
代替的に、一実施形態として、ページングメッセージは、システムメッセージを更新することの指示メッセージを搬送するページングメッセージであり得る。
【００６８】
代替的に、別の実施形態として、システム情報ブロックのシステム情報値タグSystem Info Value tagフィールドは、基地局がページングメッセージを送る前と、基地局がページングメッセージを送った後とで不変のままであり得る。
【００６９】
本発明の一実施形態による通信システムは基地局50またはユーザ機器60を含み得る。
【００７０】
好都合で簡単な説明のために、上記のシステム、装置、およびユニットの詳細な動作プロセスは上記の方法実施形態における対応するプロセスを指すことがあり、詳細については本明細書では再び説明しないことが、当業者によって明確に理解されよう。
【００７１】
本出願において与えられるいくつかの実施形態において、開示したシステム、装置、および方法は他の様式で実装され得ることを理解されたい。たとえば、説明した装置実施形態は例にすぎない。たとえば、ユニット分割は論理機能分割にすぎず、実際の実装では他の分割でもよい。たとえば、複数のユニットまたは構成要素が別のシステムに組み合わせられるかまたは組み込まれ得、あるいはいくつかの特徴が無視されるかまたは実行されないことがある。さらに、表示または説明した相互結合または直接結合または通信接続は、いくつかのインターフェースを通して実装され得る。装置またはユニット間の間接結合または通信接続は、電子的形態、機械的形態または他の形態で実装され得る。
【００７２】
別個の部分として説明したユニットは、物理的に別個であることもないこともあり、ユニットとして表示した部分は、物理的ユニットであることもないこともあり、1つの位置に配置されることも、複数のネットワークユニット上に分散されることもある。ユニットの一部または全部は、実施形態の解決策の目的を達成するために、実際の必要に応じて選択され得る。
【００７３】
さらに、本発明の実施形態における機能ユニットは1つの処理ユニットに組み込まれ得るか、またはユニットの各々が物理的に単独で存在し得るか、または2つ以上のユニットが1つのユニットに組み込まれる。
【符号の説明】
【００７４】
50  基地局
51  プロセッサ
52  送信ユニット
60  ユーザ機器
61  受信ユニット
62  プロセッサ
400  デバイス
401  アンテナ
402  送信回路
403  受信回路
404  電力コントローラ
405  復号プロセッサ
406  プロセッサ
407  メモリ
410  バスシステム
【図１】
0005871101.tif 000002
【図２】
0005871101.tif 000003
【図３】
0005871101.tif 000004
【図４】
0005871101.tif 000005
【図５】
0005871101.tif 000006
【図６】
0005871101.tif 000007